Podtech/llm-jp-corpus-v4-ja_patent huggingface dataset:
(57)【要約】【課題】  フリスビー、ブーメラン、ドッチビー、グランドゴルフ等目に当たったりすると安全性が問題である。またこれらの玩具を全て揃えると高価なものになるし環境保全にも役立たせる為に１個で多人数が共通使用出来る。本発明は安全であり、投げる、飛ばす、キャッチする、見る等、夜間キャンプでも楽しくゲームをする為蛍光色を放つ飛翔体玩具を提供する。【解決手段】  発泡スチロール又は空洞のビニール材からなる円形状の環体で、環体の内側全面に不織布又はビニールの膜を設け、環体の前部が細径からなり後部は太径の飛翔体である。【選択図】図１
2011083557.tif 000002
【特許請求の範囲】
【請求項１】
発泡スチロール又は空洞のビニール材からなる円形状の環体で、環体の内側全面に不織布又はビニールの膜を設け、環体の前部が細径からなり後部は太径からなる飛翔体玩具。
【発明の詳細な説明】
【技術分野】
【０００１】  本発明は室内及び野外で楽しめる多機能飛翔体玩具に関するものである。
【背景技術】
【０００２】  従来の飛翔体玩具はフリスビー、ブーメラン、ドッチビー（登録商標）、グランドゴルフ等が知られている。何れもビニール又はプラスチック製の軽い材質の成型体からなっており、２人以上で相対しながら飛翔体玩具を交互に投げ合って受け取り、さらに相手に投げてゲームする。
【発明の概要】
【発明が解決しようとする課題】
【０００３】  室内及び野外でフリスビー等のゲームをしようとする場合、子供・大人でも目や身体に当たると痛く安全性が問題視されている。また相対して行わなければ、ゲームが成りたたなかった。
本発明は多機能飛翔体玩具として以上の問題を解決するものである。
【課題を解決する為の手段】
【０００４】  発泡スチロール又は空洞のビニール材からなる円形状の環体で、環体の内側全面に不織布又はビニールの膜を設け、環体の前部が細径からなり後部は太径である。
【発明の効果】
【０００５】  本発明は安全性を考え、また楽しくゲームする為になされたものであり、円環体の前部を細径にし反対の後部を太径にしてある。これは飛翔体玩具の裏面を上にして持ち風向きの反対に角度を変えて投げると、元の位置に戻す為であり、身体や顔に当たっても痛くない。円形状の内側に蛍光棒を設け飛ばす為の慣性にした。また夜間キャンプ場でも楽しくゲーム出来る様にしてある。またビニール膜には吊り紐を設け糸の先端に音階の異なる鈴を設けてある。
【図面の簡単な説明】
【０００６】
【図１】  本発明の斜視図
【図２】  本発明の端面図
【発明を実施する為の形態】
【０００７】  以下、本発明の実施の形態を説明する。
（イ）発泡スチロール材又は空気を内蔵した空洞ビニール材の環体１の内側に環体１に内接する様に全面に円形ビニール膜２を一体化して設ける。膜２は環体１の後部１ｂと膜２が接続される位置は環体後部１ｂの上方向であり、膜２は環体前部１ａから環体後部１ｂへ向いて上方へ傾斜した状態となる。この為に飛翔体を投げた後Ｕターンして元に戻る。
（ロ）環体１と膜２との接合部に蛍光棒５を設けることにより、暗いところでも楽しく、また飛ばす為の慣性の役割りとなる。
（ハ）円形ビニール膜２の中心部裏側に数本の糸を設け、各々の糸３の先端に音階の異なる鈴を設ける。
本発明は以上の様な構造である。
本発明は使用する時のゲームとしは１人〜５０名の団体まで安全に楽しめる。投げる  飛ばす、見る、等のゲームに応用できる。
【符号の説明】
【０００８】  （１）環体、（２）膜、（３）糸、（４）鈴、（５）蛍光棒
【図１】
2011083557.tif 000003
【図２】
2011083557.tif 000004
(57)【要約】【課題】  赤ちゃんを抱っこして眠らせた後、寝具に寝かせて腕を引き抜く際に赤ちゃんが気づいて泣き出してしまうことを防止する枕を提供する。【解決手段】  枕を上部と下部の２層構造とし、下部に腕を引き抜く為の隙間を作ることで、赤ちゃんに気づかれることなく腕を抜くことができる。下部には空気を充填できる構造とし、腕を引き抜いた後で、枕の高さを低くできる様に任意で空気を徐々に抜くことができる様にすることで、赤ちゃんに最適な高さとなり長時間眠ることができる。【選択図】図１
2011083560.tif 000002
【特許請求の範囲】
【請求項１】
上部下部に２分割でき、下部に腕を差し込める隙間を有する枕
【請求項２】
請求項１において、下部に空気を充填した状態から任意に空気を抜くことで高さを調整できる枕
【発明の詳細な説明】
【技術分野】
【０００１】本発明は、赤ちゃんの枕に関するものである。
【背景技術】
【０００２】従来は、赤ちゃんの抱っこ用枕は、枕の底面に腕を固定する為に２本のアームバンドが着いた形状や、枕を折りたたんで腕全体を覆う形状であった。
【先行技術文献】
【特許文献】
【０００３】
【特許文献１】登録実用新案第３１４１６６７号
【発明の概要】
【発明が解決しようとする課題】
【０００４】従来は、赤ちゃんを抱っこして眠らせた後寝具に寝かせ一旦落ち着かせるまではできるのだが、最後に腕を引き抜く際に赤ちゃんが気づいて起きて泣き出してしまうことが多かった。【０００５】枕は赤ちゃんの頭部の重みが腕に集中しており、腕を引き抜いている時に赤ちゃんは急に頭の位置が動いたり、手の動きを感じたり、突然首の角度が変化することで気づいてしまうのである。【０００６】単純に枕を高くして腕を通す隙間を作るだけでは、赤ちゃんにとって無理な体勢となり長時間眠るには適さなくなる。【０００７】また、腕全体を覆う抱っこ用の枕は、夏場は暑く蒸れてしまい、抱っこしている者にとっては不快となる。  クーラーの冷気は赤ちゃんにとって良くないとのことからクーラーを点けない家庭が多いのである。【０００８】本発明は、上記の問題を解決し、抱っこをして眠った赤ちゃんを起こさずに寝具に寝かせる枕を提供することを目的とするものである
【課題を解決するための手段】
【０００９】赤ちゃんに気づかれないようにする為には、腕を引き抜く際極力赤ちゃんの頭部と接触しないようにしなければならない。赤ちゃんの頭部と抱っこをしている者の腕を極力接触させない様にするには枕の下の部分に腕が通り抜けられる隙間を作ってあげればよい。【００１０】しかし、隙間に腕を差し込んだままの状態で抱っこをしていると、夏場は蒸れの問題が発生する。そこで枕を上部と下部の２つに分離できる様にし、上部は通常の枕の形状とし、下部に腕が通り抜けられる隙間を作る。【００１１】下部には空気を充填しておける構造とし、腕を引き抜いた後で、高さを低くできる様に任意で空気を徐々に抜くことができる様にする。
【発明の効果】
【００１２】枕を上下に二分割した下部は腕が通り抜けられる隙間がある為、赤ちゃんに気づかれること無く腕を引き抜くことができる。【００１３】また下部には高さを低くできる様に空気を充填しており徐々に空気を抜くことができる為、赤ちゃんに気づかれない様に適度な高さに調整することが出来る。これによって赤ちゃんは無理の無い自然な体勢が保たれ長時間眠ることができる。【００１４】上部は通気性を良くすることと抱っこをする者の腕全体を覆わないことで、蒸れることが無く快適に赤ちゃんの抱っこを行うことができる。【００１５】その他の効果は次の通りである。下部は空気を抜くことでコンパクトに収納できるので、外出の際に携帯しやすい。そして、枕は上部と下部がつながっているのでいつもの決まった寝具の上でなくても好きな場所に短時間で赤ちゃんを寝せることができる。
【図面の簡単な説明】
【００１６】
【図１】図１は、赤ちゃん用枕の側面図である。
【図２】図２は、カバーを外した状態の枕下部の斜視図である。
【図３】図３は、枕下部の空気を抜いた状態の側面図である。
【図４】図４は、枕に腕を通して抱っこをしている状態の側面図である。
【発明を実施するための形態】
【００１７】枕を上部１と下部２に分割できる様にする
【００１８】上部１は赤ちゃんを抱っこをする時に抱っこをする者の腕の上に置き赤ちゃんの頭部を乗せる。  上部１の高さは沈み込んだ後の状態で１−２ｃｍになるくらいが好ましい。
【００１９】赤ちゃんを抱っこをして眠った後は上部１を下部２の上に重ねて赤ちゃんを寝かせる。
その際下部２の隙間に腕を入れるようにする。
【００２０】下部２は空気を充填でき、空気を抜くことができる構造とする。腕を引き抜いた後は、任意のタイミングにて空気を充填している栓３を開き空気を抜く。赤ちゃんの自重によって徐々に空気が抜けていく様にする。
【００２１】下部２が適度な高さになったら栓３を閉じることができる様にする。使用上栓３は閉じずに開けっ放しでも良い。赤ちゃんの自重で適度な高さに落ち着くので。栓３の位置は、赤ちゃんに空気の抜ける音が聞こえない様に枕から遠いほど良い。
【００２２】上部１と下部２には赤ちゃんの肌触りと通気性を考慮した綿製のカバー４を取り付ける。またこのカバーは上部１と下部２をつなげる役目となる。
【符号の説明】
【００２３】１  ………枕の上部
２  ………枕の下部
３  ………空気を充填する為の栓
４  ………枕カバー
５  ………腕のイメージ
【図１】
2011083560.tif 000003
【図２】
2011083560.tif 000004
【図３】
2011083560.tif 000005
【図４】
2011083560.tif 000006
(57)【要約】      （修正有）【課題】柔らかい雑草を根ごと鋏み取る為の、ハサミの刃部を歯型形状部にした草取り具を提供する。【解決手段】ハサミ本体７の刃部２を歯型形状部１に構成し、二枚の刃体３を支軸６を中心として回動させると、二枚の刃体３はすれ違い軌道を移動しながら回動し、刃体先端部５が当たったところで停止する。この際、ふたつの歯型形状部１が対向する部位に一定の噛み合わせすき間部４が形成され、柔らかい雑草を切断する際に、葉、茎、根などを切ることを防止すると同時に、雑草が滑ることも防止する。【選択図】図１
2011083268.tif 000002
【特許請求の範囲】
【請求項１】
ハサミ本体の刃部を歯型形状部にした事を特徴とする、ハサミの刃部を歯型形状部にした草取り具。
【発明の詳細な説明】
【技術分野】
【０００１】  本発明は、柔らかい雑草を根ごと鋏み取る為の、ハサミの刃部を歯型形状部にした草取り具に関するものである。
【背景技術】
【０００２】  従来柔らかい雑草は、小型の鍬を用いて手で取っていた。
また最近は、小型のバール式の草抜き具の発明が、知られている。
【先行技術文献】
【０００３】
【特許文献１】
【非特許文献１】
【発明の概要】
【発明が解決しようとする課題】
【０００４】  それには次の様な問題点が有った、
鍬又は手を使って草を取る時、根が地中に残る、又小型のバール式の草抜き具で取る時、小さく柔らかい草は、草抜き具に上手くかからない、又地中の根を取る時も、地中の根に上手く当たらない為、取り去る事が難しい。
本発明はこれらの欠点を解決する為になされたものである。
【課題を解決するための手段】
【０００５】  ハサミ本体（７）の刃部（２）を歯型形状部（１）にし、二枚の刃体（３）を支える支軸（６）を軸に歯型形状部（１）を閉じると、刃体先端部（５）が当たり、一定間隔の噛み合わせすき間（４）が出来る、
以上の構成からなる、ハサミの刃部を歯型形状部にした草取り具である。
【発明の効果】
【０００６】  歯型形状部と、噛み合わせすき間部は、草の葉、茎、根を鋏んだ時、草の葉、茎、根を切らずにしっかり鋏む事が出来る、そして支軸を軸に動く二枚の刃体は、すれ違い軌道を移動するお互い向き合わない構造である為、刃体及び歯型形状部を地中に差込み、草の根を鋏んでも土は挟まらない。
【図面の簡単な説明】
【０００７】
【図１】本発明の閉じた状態の斜視図
【図２】本発明の開いた状態の斜視図
【発明を実施するための形態】
【０００８】  以下本発明の実施例を説明する。
ハサミ本体（７）の刃部（２）を歯型形状部（１）にし、二枚の刃体（３）を支える支軸（６）を軸に歯型形状部（１）を閉じると、刃体先端部（５）が当たり、一定間隔の噛み合わせすき間部（４）が出来る。
またハサミ本体（７）の支軸（６）を軸に動く二枚の刃体（３）は、すれ違い軌道を移動する為、歯型形状部（１）は、お互い向き合わない構造である。
本発明は以上のような構造で、それを使用するには、
歯型形状部（１）で柔らかい雑草を鋏む時、雑草が滑る事が無く、又噛み合わせすき間部（４）は、草の葉、茎、根を切らずにしっかり鋏む事が出来る。
そして刃体（３）及び歯型形状部（１）を地中に差込み、草の根を鋏んでも、歯型形状部（１）は、お互い向き合わない構造の為土は挟まらない。
【符号の説明】
【０００９】  １歯型形状部
２刃部
３刃体
４噛み合わせすき間部
５刃体先端部
６支軸
７ハサミ本体
【図１】
2011083268.tif 000003
【図２】
2011083268.tif 000004
(57)【要約】【課題】あらかじめ設定された時刻に毎日、運転を入り切りするタイマ運転機能を備えた空気調和機において、タイマ運転を毎日正確な時刻に行うこと。【解決手段】標準時刻電波を受信する受信部１０と、この受信手段により受信した標準時刻電波の標準時刻情報を基に現在時刻を計時する時刻計時部１１を備え、あらかじめ設定された動作時刻と前記時刻計時手段により計時されている現在時刻とを比較して、受信した標準時刻情報に基づきタイマ運転を行うことにより、毎日正確な時刻に運転を入り切りすることができる。【選択図】図１
2011027327.tif 000002
【特許請求の範囲】
【請求項１】
標準時刻電波を受信する受信手段と、この受信手段により受信した標準時刻電波の標準時刻情報を基に現在時刻を計時する時刻計時手段を備え、あらかじめ設定された動作時刻と前記時刻計時手段により計時されている現在時刻とを比較して、前記受信手段により受信した標準時刻情報に基づき、毎日運転を入り切りするタイマ運転動作を行うことを特徴とする空気調和機。
【発明の詳細な説明】
【技術分野】
【０００１】
本発明は、毎日設定された時刻に運転を入り切りするタイマ運転機能を有する空気調和機に関するものである。
【背景技術】
【０００２】
従来、この種の空気調和機においては、一度入りタイマの時刻を設定すれば、毎日同時刻に運転を開始するものであり、たとえば冬期においては、毎日入りタイマ時刻を設定しなくても朝の起床時にあらかじめ部屋を暖房しておくことができるというものであった（例えば、特許文献1参照）。
【先行技術文献】
【特許文献】
【０００３】
【特許文献１】実開昭６４−８１４９号公報
【発明の概要】
【発明が解決しようとする課題】
【０００４】
しかしながら、前記従来の空気調和機では、制御装置内に設けられ、発振器を備えた内部タイマによって計時が実施されているため、長年の使用によって、内部タイマが計時する時刻の誤差の累積が増大してしまうことがあるという課題を有していた。
【０００５】
本発明は、上記従来の課題を解決するもので、タイマ運転を毎日正確な時刻に行うことができる空気調和機を提供することを目的とする。
【課題を解決するための手段】
【０００６】
前記従来の課題を解決するために、本発明の空気調和機は、正確な時刻情報を取得するために標準時刻電波を受信する受信手段を備え、受信した時刻情報に基づき、タイマ運転を行うものである。これにより、毎日正確な時刻にタイマ運転を行うことができる。
【発明の効果】
【０００７】
本発明の空気調和機は、標準時刻電波の時刻情報に基づきタイマ運転を動作させるため、毎日正確な時刻に、運転を入り切りすることができる。
【図面の簡単な説明】
【０００８】
【図１】本発明の実施の形態１における空気調和機のブロック図
【発明を実施するための形態】
【０００９】
第１の発明は、標準時刻電波からの時刻情報を受信する受信手段と、前記受信手段の受信した時刻情報に基づき、あらかじめ設定された時刻に毎日、運転を入り切りするタイマ運転手段を備えることにより、毎日正確な時刻に、運転を入り切りすることができる。
【００１０】
以下、本発明の実施の形態について図面を参照しながら説明する。なお、この実施の形態によって本発明が限定されるものではない。
【００１１】
（実施の形態１）
図１は、本発明の実施の形態１における空気調和機のブロック図を示すものである。図１において、空気調和機１は、標準時刻情報を有する標準時刻電波を受信して時刻の修正を可能としたものであって、標準時刻受信部１０と時刻計時部１１と赤外線信号受光部１
２と制御部１３とを有している。標準時刻受信部１０は標準時刻電波を受信する受信手段として機能するものであり、時刻計時部１１は標準時刻受信部１０により受信した標準時刻電波の標準時刻情報を基に現在時刻を計時するものであり、標準時刻電波は、原子時計に基づく標準電波送信所３から送信されるものである。
【００１２】
赤外線信号受光部１２は、コントローラ２からの赤外線信号を受光するものであり、制御部１３は、赤外線信号受光部１２により受光された赤外線信号からスイッチ操作に基づく情報（命令）を抽出し、かつ、抽出した命令に基づいて冷房や暖房、除湿などの運転／停止を実行するものである。空気調和機１を遠隔操作するコントローラ２には、スイッチ操作、例えば冷房や暖房、除湿の運転／停止、温度や風量、風向などの設定に基づく命令を生成し、その命令に基づいて赤外線信号を発光し空気調和機１の赤外線信号受光部１２に送信するものである。
【００１３】
コントローラ２により、ユーザのスイッチ操作によってタイマ動作時刻が設定されると、そのタイマ動作時刻が空気調和機１に送信され、制御部１３に記憶される。制御部１３は、記憶されたタイマ動作時刻と時刻計時部１１により計時されている現在時刻を比較し、現在時刻がタイマ動作時刻に到達すると、タイマ運転動作を行う。
【００１４】
以上のように実施の形態１によれば、標準時刻情報を有する標準時刻電波を受信して、その標準時刻情報を基にタイマ運転動作を行うため、空気調和機１の運転／停止を設定された時刻通りにできるという効果がある。
【産業上の利用可能性】
【００１５】
以上のように、本発明にかかる空気調和機は、標準時刻電波を受信することにより、正確な時刻にタイマ運転機能を動作させるものであるため、タイマ運転機能を有した家電機器や産業機器の用途にも適用できる。
【符号の説明】
【００１６】
１  空気調和機
２  コントローラ
３  標準電波送信所
１０  標準時刻受信部
１１  時刻計時部
１２  赤外線信号受光部
１３  制御部
【図１】
2011027327.tif 000003
(57)【要約】【課題】  室外機と室内機を分け壁に穴をあけず、室内機と室外機を一体化し移動させることが可能である。【解決手段】冷蔵庫（保温庫）等の冷却（加温）装置の放熱した温風を、耐熱材等で出来た壁で密封した循環槽内を循環させ、冷却（加温）装置にて冷却（加温）した冷（温）気の一部により冷却し、一定の温度以上にならないよう保つ放熱保存槽を設ける。【選択図】図１
2011027383.tif 000002
【特許請求の範囲】
【請求項１】
冷蔵庫（保温庫）等の冷却（加温）装置の放熱した温風を、耐熱材等で出来た壁で密封した循環槽内を循環させ、冷却（加温）装置にて冷却（加温）した冷（温）気の一部により冷却し、一定の温度以上にならないよう保つ放熱保存槽と、また、冷却（加温）装置により冷却（加温）した冷（温）気は、混合槽にて吸気口からの外気と混合しファンにて室内に放出する冷暖房装置。
【発明の詳細な説明】
【技術分野】
【考案に属する技術分野】
【０００１】  冷蔵庫（保温庫）等の冷却（加温）装置の放熱した温風を、耐熱材等で出来た壁で密封した循環槽内を循環させ、冷却（加温）装置にて冷却（加温）した冷（温）気の一部により冷却し、一定の温度以上にならないよう保つ放熱保存槽と、また、冷却（加温）装置により冷却（加温）した冷（温）気は、混合槽にて吸気口からの外気と混合しファンにて室内に放出する冷暖房装置である。
【背景技術】
【０００２】    従来より、室外機と室内機を分け室外機より放熱する冷暖房設備があった。また、室内機と室外機を一体化して後方より放熱する冷暖房機があった。
【発明の開示】
【課題を解決しようとするための手段】
【０００３】    これは、次のような問題点があった。
（イ）外壁に穴を開け室外に装置を付ける必要があった。
（ロ）放熱した暖気を室内に放出し、室内の温度を下げることができなかった。
本考案は、以上の欠点を解決するために考案されたものである。
【課題を解決するための手段】
【０００４】  冷蔵庫（保温庫）等の冷却（加温）装置の放熱した温風を、耐熱材等で出来た壁で密封した循環槽内を循環させ、冷却（加温）装置にて冷却（加温）した冷（温）気の一部により冷却し、一定の温度以上にならないよう保つ放熱保存槽と、また、冷却（加温）装置により冷却（加温）した冷（温）気は、混合槽にて吸気口からの外気と混合しファンにて室内に放出する冷暖房装置である。
【発明の効果】
【０００５】  冷蔵庫の原理を利用し、放熱を密封した容器に閉じ込めるため、室内の温度が上がらず冷却することができる。また、室外機が無いため壁に穴をあかる必要がなく、持ち運びもできる。
【発明を実施するための最良の形態】
【０００６】  以下、本発明の実施の形態を説明する。
冷蔵庫（保温庫）等の冷却（加温）装置（１）の放熱（２）した温風を、耐熱材等で出来た壁（３）で密封した循環槽（４）内を循環させ、冷却（加温）装置（１）にて冷却（加温）した冷（温）気の一部により冷却（５）し、一定の温度以上にならないよう保つ放熱保存槽と、また、冷却（加温）装置（１）により冷却（加温）した冷（温）気は、混合槽（８）にて吸気口（６）からの外気と混合しファン（７）にて室内に放出する冷暖房装置である。
【図面の簡単な説明】
【０００７】
【図１】  本考案の側面図
【符号の説明】１  冷却（加温）装置
２  放熱
３  耐熱材等で出来た壁
４  循環槽
５  冷却
６  吸気口
７  ファン
８  混合槽
【図１】
2011027383.tif 000003
(57)【要約】      （修正有）【課題】従来うちわ又は手で虫を追い払っていたという問題点について、家又はベランダの出入り、窓の開閉時の際、侵入する虫やほこりを吹き飛ばす安全かつ衛生的な器具を提供する。【解決手段】中空軸（１）の下部に扇風機を下向きに付け、周りには本体が雨に当たらない様にドーム型のカバー（３）でおおい、扇風機の風が真下に吹くことにより、入口附近の虫、ほこり等を追い払う事ができるようにする。また、以上の様な構造で、これをスイッチ（４）を押す事により稼動できるようにする。【選択図】図４
2011027096.tif 000002
【特許請求の範囲】
【請求項１】
図１中空軸（１）に電気扇風機（２）を付け、周りには本体が雨に当たらない様にドーム型図３を取り付けた虫追い扇風機。
【発明の詳細な説明】
【０００１】この発明はカバー付き中空軸に扇風機を取り付けた虫追い器具に関する物である。
【発明の開示】
【０００２】家又はベランダの出入りや窓の開閉時、従来うちわ又は手で虫を追い払っていた。
【発明が解決しようとする課題】
【０００３】今までは次の様な欠点があった。
（イ）玄関や窓等の開閉の際、虫の侵入を防ぐ事が出来なかった。
（ロ）うちわ、扇子等他の方法でも同じ
【課題を解決する為の手段】
【０００４】中空軸（１）の下部に扇風機（２）を下向きに付け、カバー（３）でおおわれているので扇風機の風は真下に吹くので入口附近の虫、ほこり等を追い払う事ができる。
【発明の効果】
【０００５】発明は以上の様な構造で、これをスイッチ（４）を押す事により稼動できる。
【発明を実施する為の最良の形態】
【０００６】（イ）中空軸（１）の下部に付いている虫追い扇風機（２）、ドーム型カバー（３）ですっぽりおおわれている器具である。
【図面の簡単な説明】
【０００７】
【図１】  本発明の側面図である
【図２】  本発明の真上から見た図である。
【図３】  本発明の真下から見た図である。
【図４】  本発明の取り付け方の図である
【符号の説明】
【０００８】１  中空軸        ２  扇風機      ３  ドーム型カバー
４  スイッチ      ５  取付用柱
【図１】
2011027096.tif 000003
【図２】
2011027096.tif 000004
【図３】
2011027096.tif 000005
【図４】
2011027096.tif 000006
(57)【要約】      （修正有）【課題】打ち水生成器を使用し、夏場の暑い盛りの時でも扇風機で充分に役に立ち、環境負荷のより大きいエアコンを使用せずに済ますことができ、また、扇風機及び打ち水生成器は電源があればどこにでも持ち運び使用することができる、夏場の暑い盛りの時に、打ち水効果があり、環境負荷が小さく、移動が簡単な扇風機用打ち水生成器を提供する。【解決手段】水または氷水を入れられる容器１に、吸水性のある紐２を数本取り付けた支持板３を合体させ、これを扇風機の前面下部に取り付け、打ち水をしたと同様な状態を作ることができる、扇風機用打ち水生成器を特徴とする。【選択図】図３
2011027095.tif 000002
【特許請求の範囲】
【請求項１】
容器（１）に、吸水性のある紐（２）を付けた支持板（３）を合体させ、扇風機に取り付けるための取り付け具（４）を設けた、扇風機用打ち水生成器。
【発明の詳細な説明】
【技術分野】
【０００１】  この発明は、家庭用扇風機に取り付けて打ち水をしたと同様な冷涼な風を作る打ち水生成器に関するものである。
【背景技術】
【０００２】  従来、家庭用扇風機は羽根を回転させて送風するだけのため、室内の温度に左右され、室内の温度が高ければ送られる風の温度も高くなってしまい、決してこれを下げることができない。
【発明が解決しようとする課題】
【０００３】  これは次のような欠点があった。
従来、家庭用扇風機は、基本的には送風する機能だけのため、室内の温度に左右され、室内の温度が高い夏場の暑い盛りの時には大して役に立たないことになり、エアコンに取って替わられてしまう。エアコンになれば、電気使用量が増え環境負荷を大きくしてしまうことになる。
本発明は、以上のような欠点を無くすためになされたものである。
【課題を解決するための手段】
【０００４】  容器に数本の吸水性のある紐を組み入れた支持板を合体させ、それを扇風機の前面下部に取り付ける。
容器に水または氷水を入れ、数本の吸水性のある紐でそれらを吸い上げ、扇風機の風で室内に冷風を送り、室内に打ち水をしたと同様な状態を作り出す。
本発明は、以上の構成よりなる扇風機用打ち水生成器である。
【発明の効果】
【０００５】  室内の温度が高い夏場の暑い盛りの時に、打ち水をしたと同様な冷風を送ることができるため、快適であると同時に、環境負荷のより大きいエアコンに切り替わることが少なくなり、エコ環境面でも有効である。
【発明を実施するための最良の形態】
【０００６】  以下、本発明を実施するための最良の形態について説明する。
水または氷水を入れる容器（１）に、吸水性のある紐（２）を付けた支持板（３）を合体させ、これを取り付け具（４）を使って扇風機の前面下部に取り付けて使用するものである。
吸水性のある紐により冷たい水が吸い上げられ、扇風機の風を受けて室内に拡散され、室内に打ち水をしたと同様な状態を作り出すことができる。
本発明は、以上のような構造で、夏場の暑い盛りの時にこれを使用することにより、電気使用量が多く環境負荷のより大きいエアコンを使用せずに済ますことができる。
しかも、電源のあるところであればどこにでも持ち運び使用することができる。
【図面の簡単な説明】
【０００７】
【図１】本発明の正面図である。
【図２】本発明の側面図である。
【図３】本発明の斜視図である。
【図４】本発明の扇風機取り付け側面図である。
【符号の説明】
【０００８】１    打ち水生成器の容器
２    打ち水生成器の紐
３    打ち水生成器の支持板
４    扇風機への取り付け具
【図１】
2011027095.tif 000003
【図２】
2011027095.tif 000004
【図３】
2011027095.tif 000005
【図４】
2011027095.tif 000006
(57)【要約】【課題】従来の技術では空調機本体に合わせた設計に合わせた形で圧縮機本体を設計し脚を溶接などにより保持固定を行っていたため異なる本体に搭載する場合異なる設計を行う必要があった。本発明により空調機へ取り付け制限を緩和し設置自由度が向上した密閉型圧縮機を提供するものである。【解決手段】前記従来の課題を解決するために前記密閉容器に固定する脚にゴムマウントなどを挿入するための脚穴を６箇所以上設けることにより本体搭載時の取り付け制限を緩和し設置自由度が向上した密閉型圧縮機を提供することが可能となる。【選択図】図２
2011027052.tif 000002
【特許請求の範囲】
【請求項１】
密閉容器内に圧縮機構と、圧縮機構を駆動するための電動機そして密閉容器を保持するために密閉容器下方に脚がついておりその脚に６個以上マウントを取り付けるための穴が開いていることを特徴とする密閉型圧縮機。
【発明の詳細な説明】
【技術分野】
【０００１】
本発明は冷凍空調分野等に使用される密閉型圧縮機に関するものである。
【背景技術】
【０００２】
密閉容器内に圧縮機構と、圧縮機構を駆動するための電動機が有り、この密閉容器を保持するための脚が密閉容器下方に配備されているが通常溶接などにより固定されているため空調機等の本体に固定される際取り付け制限が発生する等の問題がある。
【先行技術文献】
【特許文献】
【０００３】
【特許文献１】特開２０００−１９９４８３号公報
【発明の概要】
【発明が解決しようとする課題】
【０００４】
従来の技術では空調機本体に合わせた設計に合わせた形で圧縮機本体を設計し脚を溶接などにより保持固定を行っていたため異なる本体に搭載する場合異なる設計を行う必要があった。本設計により空調機へ取り付け制限を緩和し設置自由度が向上した密閉型圧縮機を提供するものである。
【課題を解決するための手段】
【０００５】
前記従来の課題を解決するために前記密閉容器に固定する脚にゴムマウントなどを挿入するための脚穴を６箇所以上設けることにより本体搭載時の取り付け制限を緩和し設置自由度が向上した密閉型圧縮機を提供することが可能となる。
【発明の効果】
【０００６】
本発明の密閉型圧縮機の脚を用いることにより空調機本体搭載時の取り付け制限を緩和することができる。
【図面の簡単な説明】
【０００７】
【図１】本発明の一実施の形態における密閉型圧縮機を示す側面図
【図２】本発明の一実施の形態における密閉型圧縮機を示す平面図
【発明を実施するための形態】
【０００８】
請求項１記載の発明は、密閉容器の下方部に溶接などにより固定された脚が有り前記脚が空調機本体に搭載される時ゴムマウントなどが挿入するための穴を６箇所以上あけることにより密閉型圧縮機を空調機本体に搭載する際の制限を緩和することが可能となる。
【０００９】
（実施の形態１）
実施の形態１として図１は密閉型圧縮機の側面図、図２は同平面図である。密閉容器部１の下部に前記密閉容器部１を保持するために溶接などにより固定された脚２を有し前記脚２に空調機本体に搭載される時ゴムマウントなどが挿入するための脚穴２ａを６箇所以上あけることにより密閉型圧縮機を空調機本体に搭載する際の制限を緩和することが可能となる。
【産業上の利用可能性】
【００１０】
以上のように、本発明にかかる密閉型圧縮機は、従来の密閉型圧縮機に対して空調機本体搭載時に制限を緩和することが可能となり空調機本体搭載時の自由度を向上させた密閉
型圧縮機を提供することができる。
【符号の説明】
【００１１】
１    密閉容器部
２    脚部
２ａ  脚穴
【図１】
2011027052.tif 000003
【図２】
2011027052.tif 000004
(57)【要約】      （修正有）【課題】大規模で太陽光発電に生成したエネルギーを利用し、汚水の曝気浄化処理を行う。【解決手段】曝気タンク（槽、池）の上の空間を利用し、弧形、平面形、或いは斜面形で太陽光パネルを設置する空間節約工法を提供します。ネットワーク状フレームが水面上に設置し、そこに水面浮上できる吊り装置を用いて、空気送気曝気、攪拌曝気或いは射流曝気装置を水面上に固定することによって、土地節約し低コスト且つ簡単に設置できる太陽電池付汚水曝気浄化処理工法と装置を提供します。また、この方法で直接太陽光発電したエネルギーを利用できる直流曝気機を提供します。【選択図】なし【特許請求の範囲】
【請求項１】
曝気タンク（槽、池）の上の空間を利用し、弧形、平面形、或いは斜面形で太陽光パネルを設置する工法。
【請求項２】
上記１請求項において、太陽光パネルを固定する装置。
【請求項３】
上記１請求項において、単一種類の太陽光パネルまたは複数種類の太陽光パネルを利用する工法。
【請求項４】
ネットワーク状フレームで水面に浮上できる吊り装置。
【請求項５】
上記４請求項において、空気送気曝気、攪拌曝気或いは射流曝気装置などの小型曝気装置を水面上に固定する工法。
【請求項６】
上記４請求項において、利用できる曝気装置。
【請求項７】
上記４請求項において、水中に設置したセンサーのフィードバックにより異なる曝気装置の共同作動を制御し、曝気の最適化をする工法。
【請求項８】
太陽光発電したエネルギーを直接利用できる小型直流曝気装置。
【請求項９】
上記１、２、３、４、５，６，７、８請求項を用いて汚水の浄化処理施設、及び汚水の浄化処理装置。
【発明の詳細な説明】
【技術分野】
【０００１】本発明は、太陽光発電に生成したエネルギーを利用し、汚水の曝気浄化処理を行う工法、装置である。
【背景技術】
【０００２】豊富な有機物を含む汚水処理において、通常曝気法は採用されます。曝気処理は非常にエネルギーを消費します。近年、技術進歩により太陽光は効率良くしかも低コストで電力を生成することが可能になってきました。しかし、大規模で太陽光パネルを利用するには土地と設置などの難点があります。そこで、太陽光発電に生成したエネルギーを利用し水処理を行う工法と装置を提供します。
【先行技術文献】
【特許文献】
【０００３】
【特許文献１】特許公開２００３−２５１３４０
【特許文献２】特許公開平１１−２０７３９０
【特許文献３】特許公開２００５−０１３８１４
【特許文献４】特許公開平０９−０７０２３８
【特許文献５】特許公開平０６−２２０８３２
【発明の概要】
【発明が解決しようとする課題】
【０００４】しかしながら、上記特許文献にあっては、単体の装置として太陽光発電の利用を行いますが、大規模の水処理において大量な太陽光パネルの使用が必要で、そのため土地と設置などの難題があり、それについての解決案はまた公表されていません。
【課題を解決するための手段】
【０００５】そこで、本願では大規模に太陽光発電に生成したエネルギーを利用する視点から、曝気タンクの上の空間を利用し、太陽光パネルを設置する工法、及び小型曝気装置を用いて、水面浮上吊り方式により曝気の取付工法と曝気浄化処理方法、及び小型曝気装置を提供します。
【発明の効果】
【０００６】曝気槽の上の空間に弧形、平面形、或いは斜面形で太陽光パネルを設置し、また水面上にネットワーク状フレームを架設して、水面に浮上できる吊り方式の固定方法を用いて、曝気装置を取り付けることによって、土地節約して低コスト且つ大規模で太陽光エネルギーを利用し下水処理を行い、または小型曝気機による汚水曝気処理が可能となります。
また、直流電機を用いる小型曝気機を使用するため、直流交流変換ロスを防ぐことができます。
【図面の簡単な説明】
【０００７】
【図１】（図２）（図３）本発明の断面図である（太陽光パネルの設置部分）。
【図２】本発明の正面図である（曝気装置の設置部分）。
【発明を実施するための形態】
【０００８】以下、本発明の実施の形態について説明する。
（イ）曝気タンクの上の空間に太陽光パネルを設置（弧形、平面形、或いは斜面形）する。
（ロ）ネットワーク状フレームが水面上に設置する。
（ハ）フレームに水面に浮上できる吊り方式の装置で直流曝気装置（空気送気曝気、攪拌曝気或いは射流曝気装置）を取り付ける。
【符号の説明】
【０００９】１：水面浮上吊り方式の浮上装置
２：水面浮上吊り方式のネットワーク状フレーム吊り装置
３：小型曝気装置
４：太陽光電池パネル
【図１】
2011121037.tif 000002
【図２】
2011121037.tif 000003
【図３】
2011121037.tif 000004
【図４】
2011121037.tif 000005
【手続補正書】
【提出日】平成22年2月18日(2010.2.18)
【手続補正１】
【補正対象書類名】明細書
【補正対象項目名】０００７
【補正方法】変更
【補正の内容】
【０００７】
【図１】は本願の実施例です。
【図２】は本願の実施例です。
【図３】は本願の実施例です。
【図４】は本願の実施例です。
【手続補正２】
【補正対象書類名】図面
【補正対象項目名】全図
【補正方法】変更
【補正の内容】
【図１】
2011121037.tif 000006
【図２】
2011121037.tif 000007
【図３】
2011121037.tif 000008
【図４】
2011121037.tif 000009
(57)【要約】【課題】容器自体に全く変更を加えずに、使い捨て容器本来の手軽さを損なうことなく、簡単かつ安価な構造で、当該容器の風による吹き飛ばしや揺れまたは不意な力による転倒を防止する構造を実現することを課題とする。【解決手段】平らな底面を有する容器１の場合、底面中央部に粘着剤を塗布して粘着面１ａを形成させ、これをシール２で保護する。凹型底面を有する容器の場合、容器の底面に蛇腹式浮き上がり構造を有する紙構造物を結合させ、紙構造物の底面に粘着面を形成させ、これをシールで保護する。いずれの場合も、シールに切り目を入れ、容器を使用する際には、これを容易に粘着面から剥がれるようにする。粘着剤は適度な粘着力を有する一方、容器は置かれている表面から容易に持ち上げられ、また、適度な繰り返し使用においても粘着力が保持されるものが選ばれる。【選択図】図１
2011121641.tif 000002
【特許請求の範囲】
【請求項１】
底面に平らまたは蛇腹式浮き上がり構造を持つ保護シールつき粘着面を有する容器であって、粘着面は適度な粘着力を有する一方、容器は置かれている表面から容易に持ち上げられ、また、適度な繰り返し使用においても粘着力が保持されることと、粘着面保護シールに切り目が入れられており、容器を使用する際には、これを容易に粘着面から剥がれることを特徴とする使い捨て容器。
【発明の詳細な説明】
【技術分野】
【０００１】  本発明は、風による吹き飛ばしや揺れまたは不意な力による転倒を防止することのできる使い捨て容器に関する。
【背景技術】
【０００２】  紙やプラスチック製の使い捨て容器は軽量のため、特に内容物が少ないときに、風によって吹き飛ばされ、また、小さな振動や不意な力を受けた際に、容易に転倒し、内容物が周りに飛び散る欠点があった。【０００３】  これらの容器の転倒を防止するために、転倒防止用コースター（特許文献１、２）を付加する方法が提案されている。【０００４】  しかし、部品数の増加や、コスト高など、使い捨て容器本来の手軽さが損なわれる問題が新たに発生し、また、風による吹き飛ばしの問題が解消されない。
【先行技術文献】
【特許文献】
【０００５】
【特許文献１】特開平１０−０１６９８５号公報
【特許文献２】特開２００２−２４８０４４号公報
【発明の概要】
【発明が解決しようとする課題】
【０００６】  容器自体に変更を加えずに、使い捨て容器本来の手軽さを損なうことなく、簡単かつ安価な構造で、当該容器の風による吹き飛ばしや揺れまたは不意な力による転倒を防止する構造を実現する。
【課題を解決するための手段】
【０００７】  平らな底面を有する容器の場合、底面中央部に粘着剤を塗布して粘着面を形成させ、これをシールで保護する。凹型底面を有する容器の場合、容器の底面に蛇腹式浮き上がり構造を有する紙構造物を結合させ、紙構造物の底面に粘着面を形成させ、これをシールで保護する。いずれの場合も、シールに切り目を入れ、容器を使用する際には、これを容易に粘着面から剥がれるようにする。粘着剤は適度な粘着力を有する一方、容器は置かれている表面から容易に持ち上げられ、また、適度な繰り返し使用においても粘着力が保持されるものが選ばれる。
【発明の効果】
【０００８】  風による吹き飛ばしや揺れまたは不意な力による転倒を防止する機能を持つ実用的な使い捨て容器が実現される。
【図面の簡単な説明】
【０００９】
【図１】本発明の平らな底面を有する容器の底面図である。
【図２】本発明の凹型底面を有する容器の底の部分の断面図である。
【発明を実施するための形態】
【００１０】  本発明は、容器が平らな底面を有する場合と、凹型底面を有する場合の二通りの実施形態に分かれる。
【実施例１】
【００１１】  図１に本発明の第１実施形態である平らな底面を有する容器の底面図を示す。容器１と、容器底面の中央に粘着剤を塗布して形成した粘着面１ａと、粘着面を保護するためのシール２を有することを特徴としている。保護シールには切り目が入れられており、容器を使用する際には、これを容易に粘着面から剥がれるようになっている。粘着剤は適度な粘着力を有する一方、容器は置かれている表面から容易に持ち上げられ、また、適度な繰り返し使用においても粘着力が保持されるものが選ばれる。
【実施例２】
【００１２】  図２に本発明の第２実施形態である凹型底面を有する容器の底の部分の断面図を示す。容器３と、容器の底面３ａに強く結合された蛇腹式浮き上がり構造を持つ紙構造物４を有することを特徴としている。紙構造物の下面４ａは粘着面であり、その表面に保護シール２が貼られていることを特徴としている。なお、図２には使用状態にある容器が示されており、容器が重なって収納されているときは、紙構造物は押されて平らな状態となっている。
【符号の説明】
【００１３】１    平らな底面を持つ容器
１ａ  粘着剤を塗布して形成した粘着面
２    粘着面保護シール
３    凹型底面を有する容器の底の部分
３ａ  凹型底面を有する容器の底面
４    蛇腹式浮き上がり構造を持つ紙構造物
４ａ  蛇腹式浮き上がり構造を持つ紙構造物の粘着面
【図１】
2011121641.tif 000003
【図２】
2011121641.tif 000004
(57)【要約】      （修正有）【課題】マヨネーズ等の粘性液状物を、常に新鮮に保つ補充容器を提供する。【解決手段】マヨネーズ等の粘性液状物を線状にきれいに見ばえよく出せるようにする為に、通常の容器に入っている粘性液状物を補充容器本体に入れ替える。ワンタッチ式の下部補充口を設けそこから粘性液状物を補充して補充用容器本体内に満たし、常に鮮度の良い状態で粘性液状物を保てるようにする。補充容器本体には、使用量がわかるように目盛り付ける。【選択図】なし【特許請求の範囲】
下部補充口よりマヨネーズ等の粘性液状物を補充する事により、常に新鮮な状態で、マヨネーズ等の粘性液状物を保てるようにする
【発明の詳細な説明】
【発明の詳細な説明】
【産業上の利用分野】
この考案は、マヨネーズ等の粘性液状物を常に新鮮に保つ為の補充容器に関するものである粘性食品分野において広範囲に利用できるものである主に営業用として用いる（たこ焼き屋・お好み焼き屋で多く使用される）
【背景技術】従来上部補充口より、マヨネーズ等の粘性液状物を補充していた為、底部にどんどん古いマヨネーズ等の粘性液状物が蓄積され、賞味期限切れの心配がでてきた．そしてマヨネーズ等の粘性液状物の味・鮮度も落としていた又、マヨネーズ等の粘性液状物をどの位使用したか、使用量がわからなかったそしてマヨネーズ等の粘性液状物の補充口がねじ式の為補充に手間がかかった実登３０４１３５４の容器の目的は、マヨネース等の粘性液状物が残り少なくなってくると上部のキャップだけでは出しずらくなるので下部にもキャップを設置し全部使い切る事が目的であるそれに対し本考案は業務用使用の為、全部使い切る事ではなく多くのマヨネーズ等の粘性液状物が常に新鮮な状態で容器内に保たれなければならないという事が目的である実登３０４１３５４の容器では補充用として使用ができない為、本考案の容器とは目的が全く異なる物である
【発明が解決しようとする課題】
マヨネーズ等の粘性液状物が常に古い物から使用され新しいマヨネーズ等の粘性液状物が底部に残り、常に鮮度の良い状態を保たなければならない．又業務用目的に使用の為、手間がかからずマヨネーズ等の粘性液状物の使用量もわかる方が便利である
【課題を解決するための手段】
上部よりマヨネーズ等の粘性液状物を補充していた上部補充口を無くし、その替わりに下部より補充できるように下部補充口を設ける又、マヨネーズ等の粘性液状物をどの位使用したかわかりやすくする為、補充容器に、目盛りを付ける．そして補充口はねじ式ではなく簡単に取りはずしができるワンタッチ式のキャップにする
【図面の簡単な説明】第１図は従来の容器の側面図である容器本体は一般には、ポリエチレン・ポリプロピレン等の熱可塑性の軟質合成樹脂からなる第２図は従来の容器を上から見た図である第３図は従来の容器にマヨネーズ等の粘性液状物を入れて下向きに立てた側面図である第４図は本考案の容器にマヨネーズ等の粘性液状物を入れて下向きに立てた側面図である第５図は本考案の容器の断面図である第６図は実登３０４１３５４の側面図である図面第５図〈本考案業務用補充容器〉に対し、図面第６図〈実登３０４１３５４使い切り用容器〉は、一般的に家庭用目的で、マヨネーズ等の粘性液状物を容器内に残さず使い切るための容器である．本考案の補充用容器は、業務用目的であり、容器本体に常に新鮮なマヨネーズ等の粘性液状物を維持しなければならないという事が、大前提である実登３０４１３５４は使い切る為の容器である事から、補充用としての技能をはたさない為、補充用としては使用できない容器である．よって本考案の容器とは、全く異なる物である．
【図１】
2011121644.tif 000002
【図２】
2011121644.tif 000003
【図３】
2011121644.tif 000004
【図４】
2011121644.tif 000005
【図５】
2011121644.tif 000006
【図６】
2011121644.tif 000007
(57)【要約】      （修正有）【課題】ペルチェ式冷却器を使用して飲料用ディスペンサの小型化・優れたデザインの自由度を可能とする。【解決手段】冷却器をヒートパイプ式からペルチェ式に変更することで冷却器自体の小型化が可能となる。しかしこのままでは氷形状に不合理が生じるので氷ガイド４を飲料パイプ３と氷５の間に設けたり、また熱抵抗体を伝熱抵抗体の一部に設ける。これにより任意の氷形状をつくれ、各部のデッドスペースをなくすことができるとともに、撹拌ペラ位置も自由になり外観形状優先で決めることができるので結果的に小型で優れたデザインのディスペンサ供給が可能となる。【選択図】図２
2011121629.tif 000002
【特許請求の範囲】
【請求項１】
水・氷を使用して飲料を冷却する飲料用ディスペンサにおいて、氷ガイドを装着することを特徴とするペルチェ素子式冷却器使用の飲料用ディスペンサ。
【請求項２】
水・氷を使用して飲料を冷却する飲料用ディスペンサにおいて、伝熱冷却体の一部に熱抵抗体を装着することを特徴とする請求項１に記載のペルチェ素子式冷却器使用の飲料用ディスペンサ。
【発明の詳細な説明】
【技術分野】
【０００１】
本発明は、ペルチェ素子式冷却器使用の飲料用ディスペンサの小型化に関するものである。
【背景技術】
【０００２】
ペルチェ素子式冷却器は従来のヒートポンプ式冷却器に比べ小型である。しかしペルチェ素子式冷却器使用のディスペンサは先行特許文献の図１のように、氷形状・氷量は伝熱面積増加部材の形状によりある程度制御できるが、ペルチェ冷却面に近い側では大きく遠くなるにつれて小さくなり、デッドスペースが出来やすく結果的にディスペンサ形状が小型化しにくくなっている。またディスペンサ能力は氷量により左右されるのでディスペンサ能力とディスペンサ形状・大きさは比例関係にある。ここでディスペンサ形状を大きくしないで氷量を大きくしようとすると、氷が飲料パイプと接触しその後氷内に飲料パイプが埋没する。こうなると飲料パイプ内の飲料が過冷却となりシャーベット状になったり、または凍結し注出不能となる場合がある。
【先行技術文献】
【特許文献】
【０００３】
【特許文献１】特開２００１−３４８０９７号公報
【発明の概要】
【発明が解決しようとする課題】
【０００４】
解決しようとする課題は、ペルチェ式冷却器を使用して作る氷量を一定とするときのディスペンサ外形寸法の小型化等デザインの自由度を拡大することである。
【課題を解決するための手段】
【０００５】
本発明は、氷の形状を任意に決定するために図２のように伝熱冷却体と飲料パイプの間に氷ガイドを設け、それ以上氷が拡大していくのを防ぐことを特徴とするものである。また図３のように伝熱冷却体の一部に熱伝導率の比較的小さい材質（たとえば樹脂製など）の熱抵抗体を設置し氷生成速度を局部的に遅くすることを特徴とするものである。
【発明の効果】
【０００６】
上述の氷ガイド・熱抵抗体を設置することにより氷形状が任意となるため水槽内のデッドスペースにも氷を作ることができる。また飲料パイプと氷の隙間を最小にできるためディスペンサの外形寸法を小型化することができる。更に撹拌ペラ位置を自由に設定できる。
よってペルチェ素子式冷却器使用し小型でデザイン性に優れる飲料用ディスペンサが可能となる。
【図面の簡単な説明】
【０００７】
【図１】図１は先行特許文献のディスペンサ構造を示した説明図である。
【図２】図２は氷ガイドの実施方法を示した説明図である。(実施例１)
【図３】図３は熱抵抗体の実施方法を示した説明図である。(実施例２)
【発明を実施するための形態】
【０００８】
以上説明したように、本発明の氷ガイド・熱抵抗体設置により小型でデザイン性に優れる飲料用ディスペンサが供給できるので、従来型が設置不能だった小さな料飲店にも設置できるようになり、従来以上に多くの人に冷たい飲料の供給が可能となる。
【実施例１】
【０００９】
図２は、本発明の実施例の断面図であって、１は断熱材、２は水槽内壁、３は飲料パイプ、４は氷ガイド、５は氷、６は伝熱冷却体、７は冷却器、８は水である。ここで図中上側の氷は冷却器に近いため成長が速く下側が成長する前に飲料パイプに接触してしまうが、氷ガイドによりその成長が妨げられ結果的に飲料パイプに即した氷形状となる。
【実施例２】
【００１０】
図３は図２の氷ガイドのかわりに、９の熱抵抗体を設置したものである。ここでも同様に上側の氷の成長速度を遅くして飲料パイプ形状に合わせた氷形状となる。
【産業上の利用可能性】
【００１１】
以上説明したように、本発明の氷ガイド・熱抵抗体を設けると飲料用ディスペンサを小型化でき優れたデザインができるので、今まで以上に多くの人に冷たい飲料の供給が可能となる。
【符号の説明】
【００１２】
１    断熱材
２    水槽内壁
３    飲料パイプ
４    氷ガイド
５    氷
６    伝熱冷却体
７    ペルチェ素子式冷却器
８    熱抵抗体
【図１】
2011121629.tif 000003
【図２】
2011121629.tif 000004
【図３】
2011121629.tif 000005